(57)【特許請求の範囲】
【請求項１】
基地局から送信される信号を受信してハンドオーバー先の候補となる基地局を周期的に検出する機能を備えた移動無線端末において、
ハンドオーバー先の基地局からの信号の受信レベルと、現在の待ち受け基地局からの信号の受信レベルとの大きさに基づいて、待ち受けしている基地局を変更するか否かを判定する第１判定手段と、
過去にハンドオーバーをした基地局のうち、所定数を記憶している記憶手段と、
前記第１判定手段によって待ち受けしている基地局を変更すると判定された場合、ハンドオーバー先の基地局が前記記憶手段に記憶されているか否かを判定する第２判定手段と、
現在の待ち受け基地局にハンドオーバーしてからの時間をカウントするカウンタと、
前記第１判定手段によって基地局を変更すると判定され、かつ、前記第２判定手段によってハンドオーバー先の基地局が前記記憶手段に記憶されていると判定された場合、前記カウンタのカウンタ値に所定値を加算する加算手段と、
前記ハンドオーバー先の候補となる基地局の検出周期を加算後のカウンタ値に比例するように設定する周期設定手段と、
を具備することを特徴とする移動無線端末。
【請求項２】
前記周期設定手段は、前記第２判定手段によってハンドオーバー先の基地局が前記記憶手段に記憶されていないと判定された場合、前記検出周期を短くすることを特徴とする請求項１に記載の移動無線端末。
【請求項３】
前記短くされた検出周期は、所定下限値から所定上限値までの間の値であることを特徴とする請求項２に記載の移動無線端末。
【請求項４】
前記周期設定手段が検出周期を短く設定し、かつ、該設定された検出周期が前記所定下限値から所定上限値までの間の値である場合、前記カウンタのカウント値をクリアすることを特徴とする請求項３に記載の移動無線端末。
【発明の詳細な説明】
【０００１】
【発明の属する技術分野】
基地局が発信している信号を受信して、情報信号を送受信する基地局を探索するために移動無線端末に搭載されている移動無線端末に関し、特に、移動無線端末が滞留しているか否かでセルサーチを変更する移動無線端末に関する。
【０００２】
【従来の技術】
たとえば、ＣＤＭＡ（Code Division Multiple Access）通信方式では、移動無線端末は、情報信号を受信するため、セルサーチを実施することで基地局から送信されるパイロットチャネルなどの位相と拡散コードを特定している。また、セルサーチは、移動無線端末が各基地局の提供するサービスエリア間を移動する場合に、ほかの基地局へのハンドオーバーを可能とするため、常に通信可能な基地局を検出するためにも用いられている。
【０００３】
一方、移動無線端末はバッテリーによって供給される電力で動作していることから、待ち受け中の状態にあるときの電力消費を抑えるため、低消費電力モードが備わっている。このモードでは周期的にスリープ状態から復帰して着呼確認を実行するようになっている。そして、上述のようなセルサーチもこのスリープ状態から復帰したタイミングでセルサーチ周期として周期的に実行される。
【０００４】
【発明が解決しようとする課題】
しかしながら、上述のようにスリープ状態から復帰するタイミングでセルサーチを実行する処理にも解決すべき課題が残されている。
【０００５】
移動無線端末が低消費電力モードにある場合は、周期的にスリープ状態から復帰する。この周期は固定的に設定されているためセルサーチ周期が長すぎると、移動無線端末が、移動無線端末の移動に伴って必要となるつぎの基地局を捕捉することができずに通信不能となってしまうことがある。
【０００６】
一方、移動無線端末のセルサーチ周期が短すぎると、移動無線端末がほとんど移動しない状態で基地局からの受信レベルが十分であるにもかかわらず頻繁にセルサーチが行われるため、バッテリーを無駄に消費することになってしまう。
【０００７】
そこで本発明は、上述した問題に鑑みてなされたものであって、移動無線端末のセルサーチ周期を適切に制御して、移動無線端末が備えるバッテリーの消費電力を抑制する移動無線端末を提供することを目的とする。
【０００８】
【課題を解決するための手段】
本発明の移動無線端末は、
基地局から送信される信号を受信してハンドオーバー先の候補となる基地局を周期的に検出する機能を備えた移動無線端末において、
ハンドオーバー先の基地局からの信号の受信レベルと、現在の待ち受け基地局からの信号の受信レベルとの大きさに基づいて、待ち受けしている基地局を変更するか否かを判定する第１判定手段と、
過去にハンドオーバーをした基地局のうち、所定数を記憶している記憶手段と、
前記第１判定手段によって待ち受けしている基地局を変更すると判定された場合、ハンドオーバー先の基地局が前記記憶手段に記憶されているか否かを判定する第２判定手段と、
現在の待ち受け基地局にハンドオーバーしてからの時間をカウントするカウンタと、
前記第１判定手段によって基地局を変更すると判定され、かつ、前記第２判定手段によってハンドオーバー先の基地局が前記記憶手段に記憶されていると判定された場合、前記カウンタのカウンタ値に所定値を加算する加算手段と、
前記ハンドオーバー先の候補となる基地局の検出周期を加算後のカウンタ値に比例するように設定する周期設定手段と、
を備えたものである。
【０００９】
以上の構成によれば、基地局の切り替わり時間、つまり１つの基地局で待ち受ける時間を常に滞留時間として測定し、基地局の切り替わる時間に合わせてセルサーチ起動時間間隔を決定することで、切り替わり候補の基地局を次の切り替わり時間を予想してその時刻までに検出できるようにする。
【００１０】
これによって、移動無線端末の高速移動時は、セルサーチ起動間隔が短くなり、新たに基地局の検出が不要となる停止時にはセルサーチ起動間隔が長くなるように設定される。ただし、移動無線端末の停止時に無限にセルサーチ起動間隔が長くなると、移動開始したときに切り替える基地局が未検出となってしまうことを避けるため、起動間隔に上限を設け、移動無線端末の高速移動時でのバッテリー寿命を考慮して起動間隔に下限を設ける。
【００１１】
また、停止している場合にも基地局が交互に切り替わることがある場合、切り替わり先が近い過去で接続していた基地局と同じ基地局の可能性が高くなる。したがって、過去数回の基地局を記憶して、同じ基地局に切り替わった場合は、滞留中と判断し滞留時間のカウントを継続し、セルサーチの起動周期を延ばしていくことで、不要なセルサーチを行わないようにする。
【００１２】
滞留時間とは、移動無線端末が移動していないとみなせる状態で待機している時間のことである。移動無線端末が移動していないとみなせる状態では、移動無線端末が待ち受け基地局から受信する信号の受信レベルは高値で安定している。
【００１３】
【発明の実施の形態】
以下、図面を参照しながら本発明の実施形態に係る移動無線端末を説明する。
図１は、本発明の一実施形態に係る移動無線端末１００の機能ブロック図である。
本実施形態の移動無線端末１００は、無線部１０、ベースバンド処理部２０、制御部３０、および、インターフェース部４０を備えている。また、ベースバンド処理部２０は、セルサーチ回路２１を含んでいる。さらに、制御部３０には、タイマ３１、メモリ３２、および、カウンタ３３が接続されている。この移動無線端末１００は、移動通信網に接続している基地局５０との間で通信を実行する。セルサーチは、セルサーチ回路２１によって自動的に実行される。
【００１４】
アンテナで受信された基地局５０からの信号は、無線部１０に入力される。受信された信号から所望のチャネルが選択されて、所望の信号が受信される。この信号は、復調されてベースバンド処理部２０に出力される。
【００１５】
ベースバンド処理部２０では、復調信号がディジタル信号に変換され、このディジタル信号がディジタル復調される。すなわち、このディジタル信号が通信に必要なデータや、音声データ、ユーザサービスデータなどになる。
【００１６】
これらのデータは、制御部３０の制御にしたがってインターフェース部４０やメモリ３２に出力される。インターフェース部４０では、音声データが現実の音声として出力される。また、メモリ３２は、入力されたデータを記憶する。
【００１７】
一方、音声等の信号が送信される場合は、インターフェース部４０に現実の音声等のデータが入力され、入力信号がディジタル信号に変換され制御部３０の制御にしたがってベースバンド処理部２０に出力される。
【００１８】
ベースバンド処理部２０において、入力されたディジタル信号がディジタル変調される。ディジタル変調された信号は、アナログ信号に変換され、無線部１０に出力される。
【００１９】
無線部１０では、変換されたアナログ信号が変調される。変調されたアナログ信号は、所望のチャネル以外の不要信号成分が除去されて、アンテナから基地局５０へ送信される。
【００２０】
図２は、本発明の一実施形態に係る移動無線端末１００のセルサーチ周期更新処理を呼び出すためのフロー図である。
【００２１】
移動無線端末１００が待ち受け状態になり間欠起床処理が開始される（ＳＴ−Ａ１）と、通信対象としている基地局から受信する信号の受信レベルや着呼の検出が実行される（ＳＴ−Ａ２）。
【００２２】
また、このステップＳＴ−Ａ２の処理とあわせて、切り替え候補の基地局を検出するためのセルサーチのタイミング（セルサーチ周期）であるかの確認を行い（ＳＴ−Ａ３）、セルサーチを実行する周期となった場合は、ステップＳＴ−Ａ４に進み、他方、セルサーチの実行する周期になっていない場合は、ステップＳＴ−Ａ５に進む。
【００２３】
なお、このセルサーチの実行周期であるか否かの判定は、タイマ３１によって計測される時間にもとづいて制御部３０が行う。
【００２４】
ステップＳＴ−Ａ３でセルサーチ周期が到来した判定されると、切り替え候補として有効な基地局のサーチが実行される（ＳＴ−Ａ４）。この処理が終了すると移動無線端末１００は再びスリープ状態に移行する。
【００２５】
一方、ステップＳＴ−Ａ３でセルサーチ周期が未到来であると判定されると、セルサーチ周期の更新処理が実行される（ＳＴ−Ａ５）。
【００２６】
この更新処理は、制御部３０からの指示にもとづいて実行され、メモリ３２に記憶されている基地局に関する基地局の識別情報の更新や、移動無線端末１００が同一基地局のカバーするセル内に滞留している滞留時間をカウンタ３３から読み出して記憶する（ＳＴ−Ａ５）。
【００２７】
図３は、本発明の一実施形態に係る移動無線端末１００のセルサーチ周期更新処理のフロー図である。以下の更新処理は、制御部３０の指示にもとづいて実行される。
【００２８】
セルサーチ周期を更新するための処理が実行される（ＳＴ−Ｂ１）と、移動無線端末１００が待ち受けをしている基地局を変更するか否かが判定される（ＳＴ−Ｂ２）。移動無線端末１００が待ち受けをしている基地局を変更する場合は、ステップＳＴ−Ｂ３に進み、他方、移動無線端末１００が待ち受けをしている基地局を変更しない場合は、ステップＳＴ−Ｂ６に進む。
【００２９】
なお、移動無線端末１００が待ち受けをしている基地局を変更するか否かの判定は、現在の待ち受け基地局よりも受信レベルの高い基地局の信号を受信しているか否かにもとづいて行われる。すなわち、現在の待ち受け基地局よりも受信レベルの高い基地局の信号を受信している場合は、この受信レベルの高い基地局に待ち受けする基地局を変更する。他方、現在の待ち受け基地局よりも受信レベルの高い基地局の信号を受信していない場合は、現在の待ち受け基地局との間で移動無線端末１００は引き続き待ち受けを実行する。
【００３０】
これとは別に、現在、待ち受けしている基地局の受信レベルが予め設定されている閾値よりも低いか否かにもとづいて行われてもよい。受信レベルがこの閾値よりも低い場合は、この閾値よりも高い受信レベルで通信可能な基地局が選択される。この閾値は、移動無線端末１００の受信性能、基地局との間で送受信する電波の性質等にもとづいて設定される。
【００３１】
ステップＳＴ−Ｂ２で、待ち受けをしている基地局を変更すると判定されると、変更先の基地局の識別情報がメモリ３２に記憶されている基地局の識別情報にあるかが検索される（ＳＴ−Ｂ３）。メモリ３２には通常、複数の基地局の識別情報が記憶されていて、基地局と識別情報は１対１に対応している。
【００３２】
メモリ３２に記憶されているステップＳＴ−Ｂ３で検索される基地局の識別情報は、過去に待ち受けをした基地局の識別情報であって、現在から過去にさかのぼって、変更回数ｍ回以内に変更されて待ち受けた基地局の識別情報である。すなわち、現在から過去に向かって、変更回数ｍ回以内に変更された基地局の識別情報の履歴がメモリ３２に記憶されている。この数値ｍは、セルサーチが最適に実行されるような数値に経験的に設定される。移動無線端末１００が位置している周囲のセルの配置分布によって、数値ｍの最適値は変化する。
【００３３】
この数値ｍは移動無線端末の製造時に予め設定されていてもよいし、ユーザが自在に数値ｍを設定することが可能に設定されていてもよい。移動無線端末の製造時に設定される場合は、移動無線端末が販売される地域に応じて設定される場合がある。
【００３４】
さらに、この変更先の基地局の識別情報を最も新しい識別情報として、メモリ３２に記憶されている履歴に追加する（ＳＴ−Ｂ４）。また、識別情報がメモリ３２に記憶されている履歴に追加されると同時に最も古く記憶された識別情報はメモリ３２から削除される（ＳＴ−Ｂ４）。
【００３５】
しかし、この最古に記憶された基地局の識別情報が、ｍ回以内にも履歴としてある場合は、この識別情報を履歴から破棄しないように設定しておく。すなわち、ｍ回以内に変更された基地局の識別情報は必ずメモリ３２内に記憶されているように設定されている。
【００３６】
ステップＳＴ−Ｂ３の後はステップＳＴ−Ｂ４に進み、ステップＳＴ−Ｂ３で検索された結果はステップＳＴ−Ｂ５で判定される。
【００３７】
ステップＳＴ−Ｂ３で変更先の基地局の識別情報がメモリ３２に履歴として記憶されている基地局の識別情報にあるかが検索されて、変更先の基地局の識別情報がメモリ３２に履歴として記憶されているか否かが判定される（ＳＴ−Ｂ５）。変更先の基地局がメモリ３２に履歴として記憶されている場合はステップＳＴ−Ｂ６に進み、変更先の基地局がメモリ３２に履歴として記憶されていない場合はステップＳＴ−Ｂ７に進む。
【００３８】
このステップＳＴ−Ｂ５において、変更先の基地局の識別情報がメモリ３２に履歴として記憶されている場合は、移動無線端末１００がほとんど位置を移動せず滞留している状態であるとみなす。同様に、ステップＳＴ−Ｂ２において、現在の待ち受け基地局との間で移動無線端末１００が引き続き待ち受けを実行すると判定された場合も、移動無線端末がほとんど位置を移動せず滞留している状態であるとみなす。
【００３９】
変更先の基地局がメモリ３２に履歴として記憶されている場合、または、ステップＳＴ−Ｂ２で移動無線端末１００が待ち受けをしている基地局を変更しないと判定された場合は、滞留時間を示すカウンタ３３に待ち受け起床周期（ＤＲＸ）を付加して滞留時間を更新する（ＳＴ−Ｂ６）。ＤＲＸは、移動無線端末１００が待ち受け動作を開始する時刻の時間間隔を示す。なおここでは、付加する滞留時間を起床周期ＤＲＸとしたがこれに限定されない。より有効な数値が実験的に得られれば、付加する滞留時間をその数値に設定してもよい。
【００４０】
また、変更先の基地局がメモリ３２に履歴として記憶されている場合は、セルサーチ周期は変更されない。
【００４１】
基地局に変更がない場合は当然として、変更があっても変更先基地局が履歴にある場合では滞留時間カウンタＴにＤＲＸを加算する。基地局に変更があっても変更先基地局が履歴にある場合に滞留時間カウンタＴにＤＲＸを加算するのは、基地局が密に配置されている都市部などの場所で無駄なセルサーチをしないためである。
【００４２】
このような都市部などの場所では、受信可能な基地局が複数存在し、移動無線端末１００がほとんど移動しなくても基地局が変更されてしまう。したがって、同じ基地局間で待ち受け基地局が行き来する場合でも、基地局に変更があっても変更先基地局が履歴にある場合に滞留と判断し、滞留時間カウンタをクリアせずカウントアップを継続するように設定されている。この結果、セルサーチを無駄に実行することなく、バッテリーを有効に使用することが可能になる。
【００４３】
一方、ステップＳＴ−Ｂ５で、変更先の基地局がメモリ３２に履歴として記憶されていない場合は、セルサーチ周期を更新して、セルサーチ周期を短くする（ＳＴ−Ｂ７）。本実施形態では、滞留時間カウンタの時間をある自然数で除した値をセルサーチ周期とする（ＳＴ−Ｂ７）。すなわち、ｔ＝Ｔ／ｎである。ここで、ｔはセルサーチ周期、Ｔは滞留時間カウンタが示している時間、ｎはある自然数である。通常はｎ＝４で実施するが、これに限定されない。
【００４４】
また、滞留時間カウンタが示している時間からある時間を引き算するように設定されることも可能である。ここで必須な事項は、セルサーチ周期を短くすることである。
【００４５】
その後、更新されたセルサーチ周期ｔが、予め設定されているセルサーチ周期の上限値（ｔｍａｘ）よりも大きいか否かが判定される（ＳＴ−Ｂ９）。更新されたセルサーチ周期ｔが上限値ｔｍａｘよりも大きくない場合はステップＳＴ−Ｂ１０に進み、更新されたセルサーチ周期ｔが上限値ｔｍａｘよりも大きい場合はステップＳＴ−Ｂ１１に進む。
【００４６】
ステップＳＴ−Ｂ９で更新されたセルサーチ周期ｔが上限値ｔｍａｘよりも大きくないと判定された場合は、更新されたセルサーチ周期ｔが予め設定されている下限値（ｔｍｉｎ）よりも小さいか否かが判定される（ＳＴ−Ｂ１０）。更新されたセルサーチ周期ｔが下限値ｔｍｉｎよりも小さくない場合はステップＳＴ−Ｂ８に進み、更新されたセルサーチ周期ｔが下限値ｔｍｉｎよりも小さい場合はステップＳＴ−Ｂ１２に進む。
【００４７】
ステップＳＴ−Ｂ９で更新されたセルサーチ周期ｔが上限値ｔｍａｘよりも大きいと判定された場合は、セルサーチ周期ｔをｔｍａｘに再更新する（ＳＴ−Ｂ１１）。
【００４８】
また、ステップＳＴ−Ｂ１０で更新されたセルサーチ周期ｔが下限値ｔｍｉｎよりも小さいと判定された場合は、セルサーチ周期ｔをｔｍｉｎに再更新する（ＳＴ−Ｂ１２）。
【００４９】
これら上限値ｔｍａｘおよび下限値ｔｍｉｎは、セルサーチ周期を更新する効果があると認められる範囲の数値に設定される。たとえば、ｔｍａｘはデフォルトのセルサーチ周期よりも短くなる範囲で設定される。ｔｍｉｎは、移動無線端末１００のバッテリーの容量とセルサーチによる消費電力が勘案されてセルサーチを現実的に最高どれだけの頻度で実行すること可能であるかにもとづいて設定される。
【００５０】
セルサーチ周期ｔは上限値（ｔｍａｘ）を設けることで滞留しているときでも、移動開始時に備えて基地局の切り替え先候補を確保するためにセルサーチを行うようにする。さらに下限（ｔｍｉｎ）を設けることで、高速移動時でも有限なバッテリーを使い切らないように、ある程度セルサーチ周期をあけることができ、処理時間の長くなるセルサーチの頻度を抑えている。
【００５１】
ステップＳＴ−Ｂ１０で更新されたセルサーチ周期ｔが下限値ｔｍｉｎよりも小さくないと判定された場合、ステップＳＴ−Ｂ１１でセルサーチ周期がｔｍａｘに再更新された場合、または、ステップＳＴ−Ｂ１２でセルサーチ周期がｔｍｉｎに再更新された場合は、滞留時間カウンタＴをクリアする（ＳＴ−Ｂ８）。すなわち、Ｔを０に設定する。このステップまで到達する場合は、待ち受け基地局が変更され、かつ、移動無線端末１００のメモリ３２に変更先の待ち受け基地局の識別情報が履歴として記憶されていない場合であるので、移動無線端末１００は滞留していないとみなすことができる。したがって、滞留時間カウンタをクリアする。
【００５２】
ステップＳＴ−Ｂ６において滞留時間カウンタが更新された後、または、ステップＳＴ−Ｂ８において滞留時間カウンタが０クリアされた後、セルサーチ周期を更新するための処理が終了される（ＳＴ−Ｂ１３）。
【００５３】
図４は、本発明の一実施形態に係る移動無線端末１００の待ち受け基地局を変更する様子の説明図である。
【００５４】
図４に示されるように、移動無線端末１００（すなわち、移動局）が、基地局Ａ、基地局Ｂ、および、基地局Ｃが提供している電波到達範囲の中を移動方向７のように移動した場合を考える。
【００５５】
はじめ基地局Ａで待ち受けていた状態から、移動無線端末１００の移動にともない基地局Ａによる受信電力４が下がり、代わりに基地局Ｂによる受信電力５が上がっていく。
【００５６】
位置８で待ち受け基地局は基地局Ａから基地局Ｂに切り替わる。基地局Ａから基地局Ｂに切り替え可能にするためには、移動無線端末１００が基地局Ｂの電波到達範囲２に入ってから基地局Ａの電波到達範囲１を抜ける前に基地局Ｂを検出する必要がある。さらに移動無線端末１００が移動を続けると基地局Ｂによる受信電力５が下がり、代わりに基地局Ｃの受信電力６が上がっていく。
【００５７】
そして、位置９で待ち受け基地局は基地局Ｂから基地局Ｃに切り替わる。この場合、移動無線端末１００が基地局Ｂで待ち受けているのは位置８から位置９の間である。基地局Ｂから基地局Ｃに切り替え可能にするには基地局Ｃの電波到達範囲３に入ってから基地局Ｂの電波到達範囲２を抜ける前に基地局Ｃを検出する必要がある。
【００５８】
図５は、本発明の一実施形態に係る移動無線端末１００のセルサーチ周期の説明図である。図４を参照して説明した上述した動作を時間的に表すと図５のようになる。
【００５９】
基地局Ｂによる受信電力１１が受信不可能なレベルに下がる前、つまり基地局Ｂが待ち受け可能な時間以内に基地局Ｃによる受信電力１２の上昇により基地局Ｃを検出することが可能になり次第、基地局Ｃを検出する必要がある。
【００６０】
本実施形態では、待ち受けをしていた基地局との待ち受け時間に比例してセルサーチ周期ｔを求めている。また、移動無線端末１００の移動速度が速いほど待ち受け時間が短くなる。したがって、移動無線端末１００の移動速度が速いほどセルサーチ周期ｔは短くなる。この結果、つぎに待ち受けをする基地局の検出を確実に行うことが可能になる。
【００６１】
図５に示された例では、ｎ−１回目のセルサーチ１４で基地局Ｃの検出を確実に行うことができ、時刻１３で待ち受け基地局を基地局Ｃへ切り替えることができる。
【００６２】
以上のように本実施形態によれば、セルサーチ周期を求めるために、移動により現基地局から次の基地局に切り替わるまでの時間を計測する。この時間を任意の自然数ｎ（通常、ｎ＝４）で分割した値を次の基地局で待ち受け中のセルサーチ周期としている。また、この時間には都市部などの接近した基地局間の行き来も含めることで、新規の基地局が検出できる可能性の無いときにはセルサーチ周期を長くするようにしている。
【００６３】
セルサーチ処理はその処理時間が長いため、無駄に電力を消費しないためには、単位時間当たりの回数をなるべく抑えることが必要である。移動無線端末１００が移動時に切り替わり先の基地局を事前に検出し、切り替えに備えるためには単位時間当たりの回数を増やすことが必要となる。
【００６４】
本発明の実施形態に係る移動無線端末１００は、基地局の配置間隔と移動無線端末１００の移動速度に合わせてセルサーチ周期を決定する。したがって、切り替え先基地局の候補を常に最低限のセルサーチ回数で維持することが可能となる。また、基地局の切り替え動作を安定して実行して待ち受け中の移動無線端末１００の低消費電力化を実現することができる。
【００６５】
この発明は、上述した実施の形態に限定されるものではなく、その技術的範囲において種々変形して実施することができる。
【００６６】
【発明の効果】
本発明の移動無線端末によれば、基地局の配置間隔と移動無線端末の移動速度に合わせてセルサーチ周期を変更することにより、移動無線端末が備えるバッテリーの消費電力を抑制することが可能になる。
【図面の簡単な説明】
【図１】  本発明の一実施形態に係る移動無線端末の機能ブロック図。
【図２】  本発明の一実施形態に係る移動無線端末のセルサーチ周期更新処理を呼び出すためのフロー図。
【図３】  本発明の一実施形態に係る移動無線端末のセルサーチ周期更新処理のフロー図。
【図４】  本発明の一実施形態に係る移動無線端末の待ち受け基地局を変更する様子の説明図。
【図５】  本発明の一実施形態に係る移動無線端末のセルサーチ周期の説明図。
【符号の説明】
１０  無線部
２０  ベースバンド処理部
２１  セルサーチ回路
３０  制御部
３１  タイマ
３２  メモリ
３３  カウンタ
４０  インターフェース部
５０  基地局
【図１】
0004011974.tif 000002
【図２】
0004011974.tif 000003
【図３】
0004011974.tif 000004
【図４】
0004011974.tif 000005
【図５】
0004011974.tif 000006